(57)【特許請求の範囲】
【請求項１】
通信装置であって、
複数のサブフレームを含む１組のサブフレームから、各々が当該１組のサブフレームのサブセットである２つの異なるサブフレームサブセットであって、１つまたはそれ以上の前の測定結果から得られるピア通信装置の干渉レベルの時間ドメイン変化量に従ってチャネル状態情報測定を実行するように前記ピア通信装置を設定するための前記２つの異なるサブフレームサブセットを決定するコントローラー、および、
前記２つのサブフレームサブセットに関連する情報を搭載する設定メッセージを前記ピア通信装置に伝送し、前記２つのサブフレームサブセットに含まれるサブフレームで前記チャネル状態情報測定を実行するように前記ピア通信装置を設定し、且つ、前記ピア通信装置から、前記測定結果に関連する情報を搭載する１つまたはそれ以上の測定結果報告メッセージを受信するトランシーバ、
を含むことを特徴とする通信装置。
【請求項２】
前記コントローラーは、さらに、前記測定結果に従って、前記ピア通信装置の隣接ネットワークノードに関連する相対的位置を決定することを特徴とする請求項１に記載の通信装置。
【請求項３】
前記コントローラーは、さらに、１つまたはそれ以上の隣接ネットワークノードの１つまたはそれ以上のオールモストブランクサブフレームの分布に従って、前記２つのサブフレームサブセットを決定することを特徴とする請求項１に記載の通信装置。
【請求項４】
通信装置であって、
第一サブフレームサブセットおよび第二サブフレームサブセットに関連する情報を得て、前記第一サブフレームサブセットに含まれる前記サブフレームで、第一チャネル状態情報測定を実行して、第一測定結果を得て、前記第二サブフレームサブセットに含まれる前記サブフレームで、第二チャネル状態情報測定を実行して、第二測定結果を得るコントローラー、および
ピア通信装置から、前記第一および前記第二サブフレームサブセットに関する情報を搭載する設定メッセージを受信し、前記第一測定結果に関連する情報を搭載する第一測定結果報告メッセージを、前記ピア通信装置に伝送し、前記第二測定結果に関する情報を搭載する第二測定結果報告メッセージを、前記ピア通信装置に伝送するトランシーバ、
を含み、
前記第一および前記第二サブフレームサブセットは、１つまたはそれ以上の隣接ネットワークノードの１つまたはそれ以上のオールモストブランクサブフレームに関する情報を含むことを特徴とする通信装置。
【請求項５】
前記第一および前記第二測定結果報告メッセージは、それぞれ、前記ピア通信装置により明示的に割り当てられる、または、前記通信装置および前記ピア通信装置に知られる所定ルールにより黙示的に決定される前記時間に伝送されることを特徴とする請求項４に記載の通信装置。
【請求項６】
通信システムにおいてチャネル状態情報測定を設定する方法であって、
通信装置により、第一サブフレームサブセットおよび第二サブフレームサブセットを決定する工程と、
前記通信装置により、前記第一および前記第二サブフレームサブセットに関する情報を搭載する設定メッセージを、ピア通信装置に伝送する工程と、
前記ピア通信装置により、前記第一サブフレームサブセットに含まれる前記サブフレームで、第一チャネル状態情報測定を実行して、第一測定結果を得る工程と、
前記ピア通信装置により、前記第二サブフレームサブセットに含まれる前記サブフレームで、第二チャネル状態情報測定を実行して、第二測定結果を得る工程と、
前記ピア通信装置により、前記第一測定結果に関する情報を搭載する第一測定結果報告メッセージを、前記通信装置に伝送する工程、および、
前記ピア通信装置により、前記第二測定結果に関する情報を搭載する第二測定結果報告メッセージを、前記通信装置に伝送する工程、
を含み、
前記第一および前記第二サブフレームサブセットは、前記通信システムにおいて、前記ピア通信装置に隣接する１つまたはそれ以上のネットワークノードの１つまたはそれ以上のオールモストブランクサブフレームの分布に従って決定されることを特徴とするチャネル状態情報測定を設定する方法。
【請求項７】
さらに、第一および／または第二測定結果に従って、前記通信装置により、前記ピア通信装置の信号および／またはデータ伝送をスケジュールする工程を含むことを特徴とする請求項６に記載のチャネル状態情報測定を設定する方法。
【請求項８】
さらに、前記第一および／または第二測定結果に従って、前記通信装置により、前記ピア通信装置のネットワークノードを干渉する相対的位置を決定する工程を含むことを特徴とする請求項６に記載のチャネル状態情報測定を設定する方法。
【請求項９】
さらに、前記通信装置により、時間を割り当てて、前記第一および前記第二測定結果報告メッセージを伝送する工程、を含むことを特徴とする請求項６に記載のチャネル状態情報測定を設定する方法。
【請求項１０】
さらに、前記通信装置および前記ピア通信装置両方に知られる所定ルールにより、前記時間を決定し、前記第一および前記第二測定結果報告メッセージを伝送する工程を含むことを特徴とする請求項６に記載のチャネル状態情報測定を設定する方法。
【請求項１１】
前記第一および前記第二サブフレームサブセットは、１組のサブフレームから決定され、且つ、相互補完的であることを特徴とする請求項６に記載のチャネル状態情報測定を設定する方法。
【請求項１２】
前記第一および前記第二サブフレームサブセットは、１組のサブフレームから決定され、前記第一および前記第二サブフレームサブセットの前記交差点は空集合ではないことを特徴とする請求項６に記載のチャネル状態情報測定を設定する方法。
【請求項１３】
前記第一および前記第二サブフレームサブセットは、１組のサブフレームから決定され、且つ、前記第一および前記第二サブフレームサブセットの前記結合は１組のサブフレームであることを特徴とする請求項６に記載のチャネル状態情報測定を設定する方法。
【請求項１４】
前記第一および前記第二サブフレームサブセットは、１組のサブフレームから決定され、且つ、前記第一および前記第二サブフレームサブセットの前記結合は、１組のサブフレーム以下であることを特徴とする請求項６に記載のチャネル状態情報測定を設定する方法。
【発明の詳細な説明】
【技術分野】
【０００１】
この出願は、２０１１年１１月１１日に出願された「RESTRICTION OF CSI MEASUREMENT」と題された米国特許仮出願番号６１／４１２５３８号と、２０１１年１月１０日に出願された「CSI FEEDBACK BASED ON INTERFERENCE MEASUREMENT IN RESTRICTED SUBSETS OF SUBFRAMES」と題された米国特許仮出願番号６１／４３１３１０号に基づいて優先権を主張するものであり、その内容は引用によって本願に援用される。
【０００２】
本発明は、無線通信システムにおいてチャネル状態情報（channel state information、ＣＳＩ）測定の設定に関するものである。
【背景技術】
【０００３】
近年、移動通信技術が急速に発展し、ユーザーの位置にかかわらず、各種通信サービス、たとえば、ボイスコールサービス、データ伝送サービス、あるいは、ビデオコールサービス等がユーザーに提供されている。大部分の移動通信システムは多重アクセスシステムで、無線ネットワークリソースとアクセスが、複数のユーザーに割り当てられる。移動通信システムに用いられるアクセス技術は、１ｘ符号分割多重アクセス方式２０００（１ｘ ＣＤＭＡ ２０００）技術、１ｘ進化データ最適化（１ｘ ＥＶＤＯ）技術、直交周波数分割多重（ＯＦＤＭ）技術、および、ロングタームエボリューション（ＬＴＥ）技術等を含む。ＬＴＥアドバンス技術は、ＬＴＥ技術に基づいて発展した強化版技術である。ＬＴＥアドバンス技術はＬＴＥ設備と互換性があり、ＬＴＥ通信システムと周波数バンドをシェアしなければならない。ＬＴＥアドバンス技術の最大の利点は、先進のトポロジーネットワークを利用する能力にある。先進のトポロジーネットワークにおいては、最適化した異機種ネットワークは、たとえば、ピコセル（picocell）、フェムトセル（femtocell）および新しいリレーノードのような低電力ノードのマクロが混在する。
【０００４】
図１は、異機種ネットワーク（ＨｅｔＮｅｔ）を示す図である。マクロ進化型ノードＢ（ｅＮＢ）１０１のサービスエリア１００内で、小サービスエリアを有する幾つかの低電力ノードが設定されて、システム容量全体を改善している。図に示されるように、ピコｅＮＢ（ピコセルとも称される）１０２、フェムトｅＮＢ（フェムトセルとも称される）１０３およびリレーｅＮＢ１０４が、マクロｅＮＢ１０１のサービスエリア１００と共に設置される。
【０００５】
しかし、このようなＨｅｔＮｅｔは、不必要なセル間干渉を生じる。たとえば、ピコｅＮＢ１０２のセルレンジ拡張（ＣＲＥ）領域（たとえば、図１に示されるＣＲＥ領域２０５）中のユーザー装置（ＵＥ）２０２がピコｅＮＢ１０２上に位置して、サービングセルとすると仮定する。ＣＲＥ領域中、ピコｅＮＢ１０２から受信される信号の電力レベルは、マクロｅＮＢ１０１から受信される信号の電力レベルより弱いので、ＵＥ２０２に隣接するマクロｅＮＢ１０１により伝送される信号は、ＵＥ２０２に強い干渉を生じる。別の例では、フェムトｅＮＢ１０３の限定加入者グループ（ＣＳＧ）に属さないＵＥ２０１が、サービスエリアに移動するとき、フェムトｅＮＢ１０３により伝送される信号は、ＵＥ２０１に強い干渉を生じる。さらに別の例では、リレーｅＮＢ１０４が、信号またはデータをＵＥ２０３に同時に伝送する時、マクロｅＮＢ１０１により伝送される信号もＵＥ２０３に干渉する。
【０００６】
無線通信システムにおいて、ＵＥが、チャネル状態情報（ＣＳＩ）測定を実行する時、セル間干渉は誤差問題を生じる。
【発明の概要】
【発明が解決しようとする課題】
【０００７】
上述の問題を解決するため、本発明は、通信システムにおいてチャネル状態情報測定を設定する方法とその方法を用いた通信装置を提供する。
【課題を解決するための手段】
【０００８】
通信システムには、チャネル状態情報測定を設定する通信装置および方法が提供される。通信装置の具体例は、コントローラーおよびトランシーバを含む。コントローラーは、１つまたはそれ以上の前の測定結果から得られるピア通信装置の干渉レベルの時間ドメイン変化量に従って、ピア通信装置を設定する２つの異なるサブフレームサブセットを決定し、チャネル状態情報測定を実行する。トランシーバは、２つのサブフレームサブセットに関連する情報を搭載する設定メッセージをピア通信装置に伝送し、ピア通信装置から、測定結果に関連する情報を搭載する１つまたはそれ以上の測定結果報告メッセージを受信する。
【０００９】
通信装置の別の具体例は、コントローラーおよびトランシーバを含む。コントローラーは、第一サブフレームサブセットと第二サブフレームサブセットに関する情報を得て、前記第一サブフレームサブセットに含まれる前記サブフレームで、第一チャネル状態情報測定を実行して、第一測定結果を獲得し、第二サブフレームサブセットに含まれるサブフレームで、第二チャネル状態情報測定を実行して、第二測定結果を得る。トランシーバは、ピア通信装置から、第一および第二サブフレームサブセットに関する情報を搭載する設定を受信し、第一測定結果に関する情報を搭載する第一測定結果報告メッセージをピア通信装置に伝送し、第二測定結果に関する情報を搭載する第二測定結果報告メッセージをピア通信装置に伝送する。
【００１０】
通信システムにおいてチャネル状態情報測定を設定する方法の具体例は、通信装置により、第一サブフレームサブセットおよび第二サブフレームサブセットを決定する工程と、通信装置により、第一および第二サブフレームサブセットに関する情報を搭載する設定メッセージをピア通信装置に伝送する工程と、ピア通信装置により、第一サブフレームサブセットに含まれるサブフレームで、第一チャネル状態情報測定を実行し、第一測定結果を得る工程と、ピア通信装置により、第二サブフレームサブセットに含まれるサブフレームで、第二チャネル状態情報測定を実行し、第二測定結果を得る工程と、ピア通信装置により、第一測定結果に関する情報を搭載する第一測定結果報告メッセージを通信装置に伝送する工程、および、ピア通信装置により、第二測定結果に関連する情報を搭載する第二測定結果報告メッセージを通信装置に伝送する工程、を含む。
【００１１】
通信装置の別の具体例は、コントローラーおよびトランシーバを含む。コントローラーは、ピア通信装置が、１つまたはそれ以上の隣接ネットワークノードから干渉を受けるビクティム通信装置か判断し、ピア通信装置の設定を決定して、チャネル状態情報測定を実行する。ビクティム通信装置に決定される設定は、非ビクティム通信装置に決定される設定と異なる。トランシーバは、設定に関連する情報を搭載する設定メッセージをピア通信装置に伝送する。
【００１２】
通信システムにおいてチャネル状態情報測定を設定する方法の別の具体例は、通信装置により、ピア通信装置が、通信システムにおいて１つまたはそれ以上の隣接ネットワークノードから干渉を受けるビクティム通信装置であるか判断する工程と、通信装置により、ピア通信装置の設定を決定して、チャネル状態情報測定を実行し、ビクティム通信装置に決定される設定が、非ビクティム通信装置に決定される設定と異なる工程、および、設定に関連する情報を搭載する設定メッセージをピア通信装置に伝送する工程、を含む。
【図面の簡単な説明】
【００１３】
本発明の実施形態について詳細に述べる。その例は添付図面に示されている。
【図１】図１は、異機種ネットワーク（ＨｅｔＮｅｔ）を示す図である。
【図２ａ】図２ａは、本発明の実施形態による通信装置の簡潔のブロック図である。
【図２ｂ】図２ｂは、本発明の別の実施形態による通信装置の簡潔なブロック図である。
【図３ａ】図３ａは、本発明の実施形態によるマクロ−ピコ環境を示す図である。
【図３ｂ】図３ｂは、図３ａに示されるように設定されたマクロｅＮＢのＡＢＳパターンおよびサブセットＳ_１とＳ_２のサブフレームパターンの例を示す図である。
【図４ａ】図４ａは、本発明の実施形態によるマクロ−フェムト環境を示す図である。
【図４ｂ】図４ｂは、図４ａに示されるように設定されたマクロｅＮＢのＡＢＳパターン、フェムトｅＮＢのＡＢＳパターンおよびサブセットＳ_１とＳ_２のサブフレームパターンの例を示す図である。
【図５ａ】図５ａは、本発明の別の実施形態によるマクロ−ピコ環境を示す図である。
【図５ｂ】図５ｂは、図５ａに示されるように設定されるマクロｅＮＢのＡＢＳパターンおよびサブセットＳ_１とＳ_２のサブフレームパターンの例を示す図である。
【図６】図６は、本発明の実施形態による通信システムにおいてチャネル状態情報測定を設定する方法のフローチャートである。
【図７】図７は、本発明の実施形態によＣＳＩ−ＲＳサブフレームパターンおよびＡＢＳパターンの例を示す図である。
【図８】図８は、本発明の別の実施形態による通信システムにおいてチャネル状態情報測定を設定する方法のフローチャートである。
【発明を実施するための形態】
【００１４】
以下の記述は、本発明を実践する最適なモードである。この記述は、本発明の一般原則を説明する目的のためのものであり、本発明を限定するものではない。本発明は、請求項によって定められる。
【００１５】
図２ａは、本発明の好ましい態様による通信装置を示す図である。
通信装置２００は、図１に示されるサービスネットワーク中のユーザー装置（ＵＥ）である。サービスネットワークの運用は、通信プロトコルに従う。一実施形態として、サービスネットワークは、ロングタームエボリューション（ＬＴＥ）システムまたはＬＴＥアドバンストシステムである。通信装置２００は、少なくとも１つのベースバンドモジュール２１０、無線周波数（ＲＦ）モジュール２２０およびコントローラー２３０を含む。
【００１６】
ベースバンドモジュール２１０は、複数のハードウェア装置を含み、アナログデジタル変換（ＡＤＣ）／デジタルアナログ変換（ＤＡＣ）、ゲイン調整（gain adjusting）、変調（modulation）／復調（demodulation）、暗号（encoding）／復号（decoding）等を含むベースバンド信号処理を実行する。
【００１７】
ＲＦモジュール２２０はＲＦ無線信号を受信し、受信したＲＦ無線信号をベースバンドモジュール２１０により処理されるベースバンド信号に変換し、または、ベースバンドモジュール２１０から、ベースバンド信号を受信し、受信したベースバンド信号を後に伝送されるＲＦ無線信号に変換する。
【００１８】
また、ＲＦモジュール２２０は、複数のハードウェア装置を含んで、信号送受信と無線周波数変換を実行する。たとえば、ＲＦモジュール２２０は、トランシーバ２４０を含んで、ＲＦ無線信号を送受信し、および／または、ミキサー（図示されない）を含んで、無線通信システムの無線周波数で発振するキャリアにより、ベースバンド信号を多重化する。無線周波数は、ユニバーサルモバイルテレコミュニケーションシステム（ＵＭＴＳ）システムで用いられる９００ＭＨｚ、１９００ＭＨｚまたは２１００ＭＨｚ、または、ＬＴＥシステムで用いられる９００ＭＨｚ、２１００ＭＨｚまたは２．６ＧＨｚ、または、無線アクセス技術（ＲＡＴ）に基づくその他の周波数である。
【００１９】
コントローラーモジュール２３０は、ベースバンドモジュール２１０およびＲＦモジュール２２０および別の機能要素、たとえば、ＭＭＩ（man-machine interface）となるディスプレイユニットおよび／またはキーパッド、アプリケーションや通信プロトコル等のデータおよびプログラムコードを保存するストレージユニットの動作を制御する。ＵＭＴＳシステムおよびＬＴＥシステムに加え、本発明は、あらゆる未来のＲＡＴに応用することが出来る。
【００２０】
図２ｂは、本発明の別の実施形態による通信装置の簡潔なブロック図である。通信装置２５０は、図１に示されるサービスネットワーク中の進化型ノードＢ（ｅＮＢ）である。通信装置２５０は、少なくとも１つのベースバンドモジュール２６０、ＲＦモジュール２７０およびコントローラー２８０を含む。
【００２１】
ＲＦモジュール２７０は、無線または有線方式で、信号を送受信する。注意すべきことは、本発明の実施形態によると、ｅＮＢは、制御または／およびデータ信号を、１つまたはそれ以上のＵＥに伝送し、無線または有線接続により、別のｅＮＢと通信することである。たとえば、ＲＦモジュール２７０は、トランシーバ３００を含んで、ＲＦ無線信号を送受信し、および／または、ミキサー（図示されない）を含んで、無線通信システムの無線周波数で発振するキャリアにより、ベースバンド信号を多重化する。ある実施形態において、通信装置２５０は、バックホール接続により、別のｅＮＢと通信する。
【００２２】
ベースバンドモジュール２６０、ＲＦモジュール２７０およびコントローラー２８０の動作は、図２ａに示されるベースバンドモジュール２１０、ＲＦモジュール２２０およびコントローラー２３０と同じである。よって、ベースバンドモジュール２６０、ＲＦモジュール２７０およびコントローラー２８０の詳細は、上述のベースバンドモジュール２１０、ＲＦモジュール２２０およびコントローラー２３０を参照することができるので、説明を省略する。
【００２３】
注意すべきことは、本発明の実施形態によると、ｅＮＢは、サービングネットワーク中の１つまたはそれ以上のＵＥに供することに責任をおうので、コントローラー２８０は、さらに、制御信号およびデータ伝送をスケジューリングし、制御信号およびデータをサービングネットワーク中のＵＥに伝送する。たとえば、コントローラー２８０はスケジューラーモジュール２９０を含み、信号およびデータ伝送をスケジューリングする。
【００２４】
注意すべきことは、ある実施形態において、伝送スケジューリングは、コントローラー２８０により直接実行されることである。よって、専用のスケジューラーモジュール２９０は、設計要求の相違に基づいて任意に選択されるべきものであり、本発明は、図２ｂに示される構造に限定されない。
【００２５】
また、注意すべきことは、異なる設計要求によっては、コントローラー２３０／２８０がベースバンドモジュール２１０／２６０に整合されてもよく、本発明は、図２ａおよび図２ｂに示されるものに限定されない。
【００２６】
図１に戻ると、前述のように、ＵＥ２０２がピコｅＮＢ１０２のＣＲＥ領域２０５に位置するとき、ＵＥ２０２に隣接するマクロｅＮＢ１０１により伝送される信号は、ＵＥ２０２に強い干渉を生成する。この場合、ピコｅＮＢ１０２により伝送されるダウンリンク信号は、マクロｅＮＢ１０１により伝送されるダウンリンク信号により干渉されるので、マクロｅＮＢ１０１はアグレッサーｅＮＢと見なされ、ＵＥ２０２はビクティムＵＥと見なされ、ピコｅＮＢ１０２はビクティムｅＮＢと見なされる。
【００２７】
同様に、フェムトｅＮＢ１０３により伝送されるダウンリンク信号が、マクロｅＮＢ１０１により伝送されるダウンリンク信号を干渉する場合、フェムトｅＮＢ１０３はアグレッサーｅＮＢと見なされ、ＵＥ２０１はビクティムＵＥと見なされ、マクロｅＮＢ１０１はビクティムｅＮＢと見なされる。以下の段落において、マクロ−ピコおよびマクロ−フェムト環境の通信システムにおいて、チャネル状態情報（ＣＳＩ）測定を設定する方法と装置がさらに説明される。
【００２８】
一般に、ＣＳＩ測定は、コモン参照信号（ＣＲＳ）またはチャネル状態情報参照信号（ＣＳＩ−ＲＳ）の電力を測定することにより実行され、チャネル状態情報を得る。仕様で定義されるように、伝送モード１から８において、ＣＲＳを用いて、ＣＳＩ測定を実行し、伝送モード９において、ＣＳＩ−ＲＳまたはＣＲＳプラスＣＳＩ−ＲＳを用いて、ＣＳＩ測定を実行する。しかし、ＵＥがチャネル状態情報（ＣＳＩ）測定を実行している時、セル間干渉が誤差問題を生じるので、マクロ-ピコおよびマクロ-フェムト環境下のビクティムＵＥの測定設定が特に考慮されなければならない。
【００２９】
ミューティングスキームがネットワーク側から起動されるとき、一旦、（アグレッサー）ｅＮＢの信号またはデータ伝送に用いられるリソース要素（ＲＥ）と隣接（ビクティム）ｅＮＢのＣＲＳまたはＣＳＩ−ＲＳ伝送に用いられるリソース要素が衝突すると、（アグレッサー）ｅＮＢは、このリソース要素を使用して、信号またはデータを伝送するのを停止する。
【００３０】
つまり、（アグレッサー）ｅＮＢは、信号またはデータ伝送に衝突したリソース要素を使用しない。よって、ＵＥは、任意のサブフレームで、ＣＳＩ測定を実行する。しかし、ネットワークがミューティングスキームを起動、または、設定しないとき、ＣＳＩ測定の制限は、ビクティムＵＥに干渉が少ないリソース要素が好ましい。つまり、ミューティングスキームが起動されない、または、設定されないとき、ビクティムＵＥおよび非ビクティムＵＥは、サブフレーム中で、異なる設定を有して、ＣＳＩ測定する。
【００３１】
ここで、ビクティムＵＥは、マクロ−ピコ環境中、ＣＲＥ領域に位置するＵＥ、または、マクロ−フェムト環境中、隣接フェムトｅＮＢから干渉されるＵＥのことで、非ビクティムＵＥは、マクロ−ピコ環境中の非ＣＲＥ領域中のＵＥ、または、マクロ−フェムト環境中の隣接フェムトｅＮＢから干渉されないＵＥのことである。
【００３２】
ビクティムＵＥにとって、ＣＳＩ測定の制限は、干渉が少ないリソース要素が好ましいので、ＵＥに測定設定が決定される時、１つまたはそれ以上の隣接ネットワークノード（つまり、セル間干渉を生じる隣接ｅＮＢ）の１つまたはそれ以上のオールモストブランクサブフレームの分布が考慮される。
【００３３】
一般に、１フレームは１０個のサブフレームを含み、１サブフレームの長さは１ｍｓで、１４個のＯＦＤＭ符号を含む。ｅＮＢ（アグレッサーｅＮＢである）により空白になったサブフレームは、オールモストブランクサブフレーム（ＡＢＳ）と称される。正常なサブフレームと比較して、ＡＢＳ中、ｅＮＢはデータ伝送をスケジュールせず、わずかな制御信号伝送だけをスケジュールする。データ伝送はＡＢＳでスケジュールされないので、ＡＢＳ中で伝送される制御信号は、正常なサブフレームで伝送されるものより少ない。
【００３４】
たとえば、ＡＢＳにおいて、物理制御フォーマット指示チャネル（ＰＣＦＩＣＨ）制御信号および物理ダウンリンク制御チャネル（ＰＤＣＣＨ）制御信号は伝送されず、ＰＣＦＩＣＨ制御信号が用いられ、どのくらいのＯＦＤＭ符号が用いられて、制御チャネルを伝送するか指定し、レシーバＵＥが、どこで制御情報を見つけるかを知り、ＰＤＣＣＨ制御信号が用いられ、（データ領域で伝送される）データ信号のリソース割り当ておよび変調と符号スキームを指定する。ＡＢＳの制御領域でまだ伝送される制御信号は、たとえば、これに限定されないが、コモン制御信号（たとえば、コモン参照信号（ＣＲＳ）、同期化信号、システム情報等）およびページング信号を含む。
【００３５】
本発明のコンセプトによると、ｅＮＢは、０（ゼロ）または２つのサブフレームサブセットをＵＥに設定し、ＣＳＩ測定を実行する。たとえば、ｅＮＢのコントローラー（たとえば、コントローラー２８０）は、２つの異なるサブフレームサブセットを決定して、ＵＥを設定し（ｅＮＢの角度から見て、ピア通信装置）、ＵＥの干渉レベルの時間ドメイン変化量に従って、ＣＳＩ測定を実行し、２つのサブフレームサブセットに関連する情報を搭載する１つまたはそれ以上の設定メッセージを生成する。ｅＮＢのトランシーバ（たとえば、トランシーバ３００）は、設定メッセージをＵＥに伝送し、さらに、ＵＥから、１つまたはそれ以上の測定結果に関連する情報を搭載する１つまたはそれ以上の測定結果報告メッセージを受信する。ｅＮＢの測定結果に基づいて、コントローラー（または、スケジューラーモジュール）は、最小の干渉で、ＵＥの信号および／またはデータ伝送をスケジュールする。
【００３６】
本発明の実施形態によると、ｅＮＢのコントローラーは、１つまたはそれ以上の前の測定結果から得られるＵＥの干渉レベルの時間ドメイン変化量、または、さらに、１つまたはそれ以上の隣接ネットワークノード（つまり、セル間干渉を生じる隣接ｅＮＢ）の１つまたはそれ以上のＡＢＳの分布に従って、１組のサブフレームから、２つのサブフレームサブセットを決定する。１組のサブフレームがＳ、および、２つのサブフレームサブセットがＳ_１とＳ_２として示されると仮定すると、サブフレームサブセットＳ_１とＳ_２両方はＳのサブセットである。
【００３７】
たとえば、１組のサブフレームＳは、１周期（たとえば、４０ｍｓ）で、複数の連続するサブフレームを含み、Ｓ＝｛Ｓ０，Ｓ１，Ｓ２，・・・Ｓ３９｝として示される（式中、Ｓｉは１サブフレームを示す）。サブフレームサブセットＳ_１とＳ_２はともにＳのサブセットである。たとえば、サブフレームサブセットＳ_１とＳ_２は、Ｓ_１＝｛Ｓｉ，ｉ＝１＋８ｋ，ｋ＝０，１…４｝とＳ_１＝｛Ｓｉ∪Ｓｊ，ｉ＝３＋８ｋ，ｊ＝５＋８ｋ、ｋ＝０，１…４｝として示される（式中、∪は、２組の結合を意味する）。
【００３８】
本発明の実施形態によると、ｅＮＢのコントローラーは、サブフレームサブセットＳ_１とＳ_２を相互補完的になるように設計する。つまり、サブフレームサブセットＳ_１とＳ_２の交差点は空集合である。本発明の別の実施形態によると、ｅＮＢのコントローラーは、また、相互補完的でないサブフレームサブセットＳ_１とＳ_２を設計する。つまり、サブフレームサブセットＳ_１とＳ_２の交差点は空集合ではない。このほか、ｅＮＢのコントローラーは、さらに、サブフレームサブセットＳ_１とＳ_２の結合が、完全に１組のサブフレームＳに等しくなるように、または、１組のサブフレームＳより小さくなるように設計する。異なる設定が異なるネットワーク設定に適用され、異なる測定結果を生成し、ｅＮＢは、さらに、測定結果から、いくつかの重要な情報（たとえば、位置情報）を得る。以下の段落において、３つの異なる測定設定の３つの状態が説明される。
【００３９】
図３ａは、本発明の実施形態によるマクロ−ピコ環境の例を示し、図３ｂは、図３ａに示されるように設定されたマクロｅＮＢのＡＢＳパターンおよびサブセットＳ_１とＳ_２のサブフレームパターンの例を示す図である。図３ａに示される状況において、ＵＥ３０３はピコｅＮＢ３０２のＣＲＥ領域に位置し、ＵＥ３０４はピコｅＮＢ３０２の非ＣＲＥ領域に位置する。
【００４０】
ＵＥ３０３およびＵＥ３０４が、それぞれ、図３ｂに示される２つのサブフレームサブセットＳ_１とＳ_２に設定されると仮定する。図３ｂから分かるように、第一サブフレームサブセットＳ_１および第二サブフレームサブセットＳ_２は相互補完的であり、第一サブフレームサブセットＳ_１は、１周期で、マクロｅＮＢ３０１のＡＢＳと衝突するサブフレームを含み、第二サブフレームサブセットＳ_２は、１周期で、マクロｅＮＢ３０１の正常なサブフレームと衝突するサブフレームを含む。
【００４１】
ＵＥ３０３は、ピコｅＮＢ３０２のＣＲＥ領域に位置するので、ＵＥ３０３は、サブフレームサブセットＳ_２より相対的に高いサブフレームサブセットＳ_１のチャネル品質インデックス（ＣＱＩ）に従って、測定結果を報告する。反対に、ピコｅＮＢ３０２の非ＣＲＥ領域に位置するＵＥ３０４により報告される測定結果中、サブフレームサブセットＳ_１により測定されるＣＱＩは、サブフレームサブセットＳ_２による測定結果とほぼ同じＣＱＩである。ＵＥ３０３およびＵＥ３０４により報告される測定結果に基づいて、ピコｅＮＢ３０２は、マクロｅＮＢ３０１に関連するＵＥ３０３およびＵＥ３０４の相対的位置についての大まかな構想を得て、適当なサブフレームで、それぞれ、ＵＥ３０３とＵＥ３０４の信号および／またはデータ伝送をスケジュールする。たとえば、ピコｅＮＢ３０２は、マクロｅＮＢ３０１のＡＢＳ中、ＵＥ３０３の信号および／またはデータ伝送をスケジュールし、任意のサブフレームで、ＵＥ３０４の信号および／またはデータ伝送をスケジュールする。
【００４２】
図４ａは、本発明の実施形態によるマクロ−フェムト環境およびの例を示す図であり、図４ｂは、図４ａに示されるように設定されたマクロｅＮＢのＡＢＳパターン、フェムトｅＮＢのＡＢＳパターンおよびサブセットＳ_１とＳ_２のサブフレームパターンの例を示す図である。
【００４３】
図４ａに示される状況において、マクロｅＮＢ４０１上のＵＥ４０４は、フェムトｅＮＢ４０３のクローズドサブスクライバグループ（ＣＳＧ）に属さないが、フェムトｅＮＢ４０３のサービスエリアに移動する。このほか、マクロｅＮＢ４０１およびフェムトｅＮＢ４０３に近接する別のピコｅＮＢ４０２がある。ピコｅＮＢ４０２のＣＲＥ領域に位置するＵＥを保護するため、ＵＥ４０４の信号および／またはデータ伝送は、好ましくは、マクロｅＮＢ４０１の正常なサブフレームでスケジュールされる。
【００４４】
このほか、フェムトｅＮＢ４０３により干渉されないフェムトｅＮＢ４０３に近接するＵＥ４０４を保護するため、ＵＥ４０４の信号および／またはデータ伝送は、好ましくは、フェムトｅＮＢ４０３のＡＢＳ中でスケジュールされる。よって、図４ｂに示されるように、第一サブフレームサブセットＳ_１は、１周期で、サブフレームを含み、マクロｅＮＢ４０１の正常なサブフレームとフェムトｅＮＢ４０３のＡＢＳの交差点に属し、第二サブフレームサブセットＳ_２は、１周期で、サブフレームを有し、マクロｅＮＢ４０１の正常なサブフレームとフェムトｅＮＢ４０３の正常なサブフレームの交差点に属する。
【００４５】
ＵＥ４０４が、フェムトｅＮＢ４０３のサービスエリアに位置するので、ＵＥ４０４が報告する測定結果中、サブフレームサブセットＳ_１のＣＱＩは、サブフレームサブセットＳ_２より高い。ＵＥ４０４により報告される測定結果に基づいて、マクロｅＮＢ４０１は、フェムトｅＮＢ４０３に関連するＵＥ４０４の相対的位置についての大まかな構想を得て、適当なサブフレーム（たとえば、フェムトｅＮＢ４０３のＡＢＳ）中、ＵＥ４０４の信号および／またはデータ伝送をスケジュールする。
【００４６】
一旦、ＵＥ４０４が、フェムトｅＮＢ４０３のサービスエリアから移動する、または、フェムトｅＮＢ４０３がアイドルモードに進入すると（フェムトｅＮＢ４０３により供されるＵＥがアイドルモードに進入するため）、この時、ＵＥ４０４は、サブフレームサブセットＳ_１のＣＧＩが、サブフレームサブセットＳ_２とほぼ同じＣＱＩに基づいて、マクロｅＮＢ４０１が、ＵＥ４０４により報告される測定結果により、この状況を知る。この方法において、マクロｅＮＢ４０１は、フェムトｅＮＢ４０３のＡＢＳ以外のあるサブフレーム中、さらに、ＵＥ４０４の信号および／またはデータ伝送をスケジュールし、ＵＥ４０４の伝送スループットを増加させる。
【００４７】
図５ａは、本発明の別の実施形態によるマクロ−ピコ環境の例を示し、図５ｂは、図５ａに示されるように設定されるマクロｅＮＢのＡＢＳパターンおよびサブセットＳ_１とＳ_２のサブフレームパターンの例を示す図である。図５ａに示される状況において、ＵＥ５０４およびＵＥ５０５は共に、ピコｅＮＢ５０２のＣＲＥ領域に位置し、ピコｅＮＢ５０２に配置される。ＵＥ５０４はマクロｅＮＢ５０１に近接し、ＵＥ５０５はマクロｅＮＢ５０３に近接する。
【００４８】
ＵＥ５０４およびＵＥ５０５が、図５ｂに示される２つのサブフレームサブセットＳ_１とＳ_２に設定されると仮定する。図５ｂから分かるように、第一サブフレームサブセットＳ_１は、１周期で、サブフレームを有し、マクロｅＮＢ５０１のＡＢＳと衝突し、前記第二サブフレームサブセットＳ_２は、１周期で、サブフレームを有し、マクロｅＮＢ５０３のＡＢＳと衝突する。
【００４９】
ＵＥ５０４がマクロｅＮＢ５０１に近接するので、ＵＥ５０４が報告する測定結果中、サブフレームサブセットＳ_１のＣＱＩはサブフレームサブセットＳ_２より相対的に高い。反対に、マクロｅＮＢ５０３に近接するＵＥ５０５が報告する測定結果中、サブフレームサブセットＳ_２のＣＱＩは、サブフレームサブセットＳ_１より高い。
【００５０】
ＵＥ５０４およびＵＥ５０５により報告される測定結果に基づいて、ピコｅＮＢ５０２は、マクロｅＮＢ５０１およびマクロｅＮＢ５０３に関するＵＥ５０４およびＵＥ５０５の相対的位置についての大まかな構想を得て、それぞれ、適当なサブフレーム中で、ＵＥ５０４とＵＥ５０５の信号および／またはデータ伝送をスケジュールする。たとえば、ピコｅＮＢ５０２は、マクロｅＮＢ５０１のＡＢＳで、ＵＥ５０４の信号および／またはデータ伝送をスケジュールし、マクロｅＮＢ５０３のＡＢＳで、ＵＥ５０５の信号および／またはデータ伝送をスケジュールする。
【００５１】
ｅＮＢにより設定される測定設定に応じて、ＣＳＩ測定を実行しなければいけないＵＥに関して、ＵＥのトランシーバ（たとえば、トランシーバ２４０）は、まず、ｅＮＢ（ＵＥの角度から見て、ピア通信装置）から、測定設定に関する情報を搭載する１つまたはそれ以上の設定メッセージを受信し、ＵＥのコントローラー（たとえば、コントローラー２３０）は、設定メッセージから、２つのサブフレームサブセットに関連する情報を得る。
【００５２】
ＵＥのコントローラー（たとえば、コントローラー２３０）は、さらに、異なるサブフレームサブセットに含まれるサブフレームで、ＣＳＩ測定を実行し、異なる測定結果を得て、測定結果を搭載する１つまたはそれ以上の測定結果報告メッセージを生成する。ＵＥのトランシーバ（たとえば、トランシーバ２４０）は、さらに、測定結果報告メッセージをｅＮＢに伝送する。
【００５３】
本発明の実施形態によると、異なるサブフレームサブセットに基づいて得られた測定結果は、ｅＮＢにより明示的に指示される時間で報告されるか、または、ｅＮＢとＵＥ両方に知られている所定ルールにより黙示的に決定され、これにより、ｅＮＢは、どのサブフレームサブセット設定が、現在受信される測定結果と関連するかを知る。一旦、ｅＮＢが測定結果を受信すると、ｅＮＢは、どのサブフレームがＵＥの信号および／またはデータ伝送に適するかについての考えを有する。よって、ｅＮＢは、測定結果に基づいて、ＵＥの信号および／またはデータ伝送をスケジュールする。このほか、ｅＮＢは、さらに、測定結果から、ある重要な情報（たとえば、上述のような位置情報）を得る。
【００５４】
図６は、本発明の実施形態による通信システムにおいて、チャネル状態情報測定を設定する方法のフローチャートを示す図である。ｅＮＢは、まず、第一サブフレームサブセットおよび第二サブフレームサブセットを決定する（ステップＳ６０１）。前述のように、第一および第二サブフレームサブセットは、通信システムにおいて、ＵＥに隣接する１つまたはそれ以上のネットワークノードの１つまたはそれ以上のＡＢＳの分布に従って、決定される。
【００５５】
次に、ｅＮＢは、第一および第二サブフレームサブセットに関する情報を搭載する設定メッセージをＵＥに伝送する（ステップＳ６０２）。次に、設定メッセージを受信時、ＵＥは、第一サブフレームサブセットに含まれるサブフレームで、第一チャネル状態情報測定を実行し、第一測定結果を得て（ステップＳ６０３）、第二サブフレームサブセットに含まれるサブフレームで、第二チャネル状態情報測定を実行し、第二測定結果を得る（ステップＳ６０４）。
【００５６】
最後に、ＵＥは、第一測定結果に関する情報を搭載する第一測定結果報告メッセージをｅＮＢに伝送し（ステップＳ６０５）、第二測定結果に関する情報を搭載する第二測定結果報告メッセージをｅＮＢに伝送する（ステップＳ６０６）。前述のように、ｅＮＢは、明示的に時間を指示するか、または、ＵＥは、ｅＮＢとＵＥに知られる所定ルールに従って、黙示的に時間を決定し、第一および第二測定結果報告メッセージを伝送する。一旦、ｅＮＢが測定結果を受信すると、ｅＮＢは、測定結果に従って、ＵＥの信号および／またはデータ伝送をスケジュールする。このほか、ｅＮＢは、さらに、測定結果から、重要な情報（たとえば、上述の位置情報）を得る。
【００５７】
前述のように、ＣＳＩ測定は、通常、コモン参照信号（ＣＲＳ）またはチャネル状態情報参照信号（ＣＳＩ−ＲＳ）の電力を測定することにより、チャネル状態情報を得る。ＣＲＳは、オールモストブランクサブフレーム（ＡＢＳ）を含む各サブフレームで伝送されるが、ＣＳＩ−ＲＳは伝送されない。伝送モード１から８において、ＣＲＳを使用して、ＣＳＩ測定を実行し、伝送モード９において、ＣＳＩ−ＲＳまたはＣＲＳプラスＣＳＩ−ＲＳを用いて、ＣＳＩ測定を実行する。
【００５８】
このほか、前述のように、ミューティングスキームが起動されないとき、ビクティムＵＥにとって、ＣＳＩ測定の制限は、干渉が少ないリソース要素が好ましい。たとえば、ＵＥの測定設定が決定された時、好ましくは、１つまたはそれ以上の隣接ネットワークノードの１つまたはそれ以上のＡＢＳの分布を示すＡＢＳパターンが考慮される。このような理由で、ＣＳＩ−ＲＳの周期の設計は、好ましくは、ＡＢＳパターンを考慮に入れる。
【００５９】
ＡＢＳパターンは、ビクティム通信装置のハイブリッドＡＲＱ（ＨＡＲＱ）往復時間（ＲＴＴ）に従って設定されるので、ＣＳＩ−ＲＳの周期を決定する時、好ましくは、ＨＡＲＱ ＲＴＴを考慮に入れる。本発明の実施形態によると、周波数分割双方向（ＦＤＤ）モード中のＨＡＲＱ ＲＴＴ（つまり、アップリンクおよびダウンリンクデータは、ＦＤＤ形式で、異なる周波数バンドで伝送される）は８サブフレームなので、好ましくは、ＣＳＩ−ＲＳの周期は４ｍｓに設計される。よって、ｅＮＢのコントローラー（たとえば、コントローラー２８０）は、ＣＳＩ−ＲＳの伝送をＵＥにスケジュールして、４ｍｓ毎にＣＳＩ測定を実行する。
【００６０】
図７は、本発明の実施形態によるＣＳＩ−ＲＳサブフレームパターンおよびＡＢＳパターンの例を示す図である。この例において、前記伝送モードは、ＦＤＤ下で、伝送モード９に設置され、ミューティングスキームが起動されないと仮定する。図７に示されるように、ＣＳＩ−ＲＳの周期は4サブフレーム（即ち、４ｍｓ）で、各組のＡＢＳは、一連の間隔が８ｍｓの連続サブフレームから構成される。１組のＡＢＳだけが採用される時、ＣＳＩ−ＲＳを含むサブフレームの半分はＡＢＳと一致する。２組のＡＢＳが採用される時、ＣＳＩ−ＲＳを含む各サブフレームはＡＢＳと一致する。よって、この例において、４ｍｓの周期は、ＡＢＳと一致するＣＳＩ−ＲＳの高い粒度を達成する。しかし、ミューティングスキームが起動されず、ＣＳＩ−ＲＳの周期が４ｍｓ（たとえば、仕様書に定義されるように、ＣＳＩ−ＲＳの周期は、５ｍｓ、１０ｍｓまたは２０ｍｓ）に設定されない時、ＣＳＩ−ＲＳおよびＡＢＳを含むサブフレームの一致が頻繁にならないので、ＵＥにとって、伝送モード９で、ＣＳＩ測定を実行することが困難である。
【００６１】
この問題を解決するため、本発明の別のコンセプトによると、ｅＮＢは、ビクティムＵＥに、伝送モード９を設定しない。つまり、ビクティムＵＥはＣＳＩだけを用いて、チャネル状態情報測定を実行する。よって、ＡＢＳパターンの観点から、ＣＳＩ−ＲＳ伝送周期を考慮する必要がない。ここで、ビクティムＵＥは、マクロ−ピコ環境におけるＣＲＥ領域内のＵＥ、または、マクロ−フェムト環境における隣接フェムトｅＮＢから干渉を受けるＵＥのことで、非ビクティムＵＥは、マクロ−ピコ環境における非ＣＲＥ領域内のＵＥ、または、マクロ−フェムト環境における隣接フェムトｅＮＢから干渉を受けないＵＥのことである。
【００６２】
図８は、本発明の別の実施形態による通信システムにおいて、チャネル状態情報測定を設定する方法のフローチャートである。ｅＮＢのコントローラー（たとえば、コントローラー２８０）は、まず、通信システムにおいて、ピア通信装置（つまり、ＵＥ）が、１つまたはそれ以上の隣接ネットワークノードから干渉を受けるビクティム通信装置か判断し（ステップＳ８０１）、ピア通信装置の設定を決定して、ＣＳＩ測定を実行する（ステップＳ８０２）。注意すべきことは、本発明の実施形態によると、ビクティム通信装置に決定される設定は、非ビクティム通信装置に決定される設定と異なることである。たとえば、非ビクティム通信装置は、任意のサブフレームで、ＣＳＩ測定を実行するように設定され、ビクティム通信装置は、ＡＢＳで、ＣＳＩ測定を実行するように設定される。最後に、ｅＮＢのトランシーバ（たとえば、トランシーバ３００）は、設定に関連する情報を搭載する設定メッセージをピア通信装置に伝送する（ステップＳ８０３）。
【００６３】
前述のように、ミューティングスキームが起動されず、且つ、ＣＳＩ−ＲＳの周期が４ｍｓに設定されない時、一旦、ＵＥがビクティムＵＥであると判断されると、ＵＥに決定される設定は、ＣＲＳだけを使用して、ＣＳＩ測定を実行する。よって、ｅＮＢは、伝送モード９以外の伝送モードをＵＥに設定して、ＵＥは、ＣＳＩ−ＲＳを用いないで、ＣＳＩ測定を実行する。この方式において、ＣＳＩ測定はさらに頻繁に実行され、測定結果が可能な限り速く得られる。このほか、前述のように、ＡＢＳは、まだ、ＣＲＳを搭載するので、ＵＥは、どの伝送モードが設定されるかにかかわらず、常に、ＣＲＳを使用して、ＣＳＩ測定を実行する。よって、本発明のさらに別のコンセプトによると、ＡＢＳ中、ｅＮＢはＣＳＩ−ＲＳを伝送する必要がない。つまり、ＣＳＩ−ＲＳがＡＢＳと一致する時、ｅＮＢは、ＡＢＳ中で、ＣＳＩ−ＲＳを伝送しない。
【００６４】
請求項中の要素を修飾する“第一”、“第二”、“第三”等の序数詞の使用は、いかなる優先権、順位、または各要素間の順序または方法が実行される工程順序も暗示しないが、標識となって、同じ名称を有する（異なる序数詞を有する）異なる要素を区別する。
【００６５】
本発明では好ましい実施形態を前述の通り開示したが、これらは決して本発明に限定するものではなく、当該技術を熟知する者なら誰でも、本発明の精神と領域を脱しない範囲内で各種の変動や潤色を加えることができ、従って本発明の保護範囲は、特許請求の範囲で指定した内容を基準とする。
【図１】
0005698375.tif 000002
【図２ａ】
0005698375.tif 000003
【図２ｂ】
0005698375.tif 000004
【図３ａ】
0005698375.tif 000005
【図３ｂ】
0005698375.tif 000006
【図４ａ】
0005698375.tif 000007
【図４ｂ】
0005698375.tif 000008
【図５ａ】
0005698375.tif 000009
【図５ｂ】
0005698375.tif 000010
【図６】
0005698375.tif 000011
【図７】
0005698375.tif 000012
【図８】
0005698375.tif 000013